(57)【特許請求の範囲】
【請求項１】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記給湯単独運転に含まれる第１の給湯単独運転中、一端側で冷媒の流れが遮断されている室内熱交換器の他端側と前記第１配管とを連通させる第１の位置に、前記四方弁の前記弁体が存在し、前記圧縮機、前記給湯用熱交換器、前記第１膨張弁、及び前記室外熱交換器を順次に介して冷媒を循環させる空調給湯装置。
【請求項２】
前記圧縮機、前記給湯用熱交換器、前記第１膨張弁、及び前記室外熱交換器を順次に介して冷媒が循環する状態と、
前記室外熱交換器が凝縮器として機能し、前記室内熱交換器が蒸発器として機能する別の状態と、のうち一方から他方に切替可能であり、
前記一方から前記他方に切り替えられる際、前記四方弁の前記弁体の位置が、前記第１の位置で維持されること
を特徴とする請求項１に記載の空調給湯装置。
【請求項３】
前記圧縮機、前記給湯用熱交換器、前記第１膨張弁、及び前記室外熱交換器を順次に介して冷媒を循環させる前記給湯単独運転の開始前に少なくとも冷房運転が行われていた場合と、前記給湯単独運転の開始前に少なくとも暖房運転が行われていた場合とでは、前記給湯単独運転中の前記弁体の位置が異なっており、
前記弁体が前記第１の位置に存在する場合の前記第１の給湯単独運転の開始前には、少なくとも冷房運転が行われていること
を特徴とする請求項１に記載の空調給湯装置。
【請求項４】
前記第２配管に設けられる第２開閉手段を備え、
前記第１の給湯単独運転中、前記第２開閉手段が開弁していること
を特徴とする請求項１に記載の空調給湯装置。
【請求項５】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記四方弁の室内側接続口は、室内熱交換器及び第３配管を順次に介して、前記給湯用熱交換器に接続され、
前記給湯単独運転に含まれる第１の給湯単独運転中、一端側で冷媒の流れが遮断されている前記室内熱交換器の他端側と前記第１配管とを連通させる第１の位置に、前記四方弁の前記弁体が存在し、
前記第２配管に設けられる第２開閉手段と、
前記第２配管において前記第２開閉手段よりも前記室外熱交換器側に一端が接続され、前記第３配管に他端が接続される第４配管と、
前記第３配管において、前記室内熱交換器の付近に設けられる第２膨張弁と、
前記第４配管に設けられる第３開閉手段と、をさらに備え、
前記第１の給湯単独運転中、前記第２開閉手段が開弁し、前記第２膨張弁及び前記第３開閉手段が、いずれも閉弁し、前記圧縮機、前記給湯用熱交換器、前記第１膨張弁、及び前記室外熱交換器を順次に介して冷媒を循環させる空調給湯装置。
【請求項６】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記給湯単独運転に含まれる第１の給湯単独運転中、一端側で冷媒の流れが遮断されている室内熱交換器の他端側と前記第１配管とを連通させる第１の位置に、前記四方弁の前記弁体が存在し、
前記給湯用熱交換器で湯水を加熱する前記給湯単独運転を行う場合において、
前記室内熱交換器の温度が前記室外熱交換器の温度よりも低いとき、
又は、
前記室内熱交換器の空調対象空間の温度が外気の温度よりも低いとき、
前記第１の給湯単独運転として、前記四方弁の前記弁体が前記第１の位置に存在する状態で、前記圧縮機、前記給湯用熱交換器、前記第１膨張弁、及び前記室外熱交換器を順次に介して冷媒を循環させる空調給湯装置。
【請求項７】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
前記室外熱交換器に複数の室内熱交換器が並列接続され、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記給湯単独運転に含まれる第１の給湯単独運転中、一端側で冷媒の流れが遮断されている前記室内熱交換器の他端側と前記第１配管とを連通させる第１の位置に、前記四方弁の前記弁体が存在し、
前記給湯用熱交換器で湯水を加熱する前記給湯単独運転を行う場合において、
複数の前記室内熱交換器のうち、その温度が前記室外熱交換器の温度よりも低いものが少なくとも一つ存在するとき、
又は、
複数の前記室内熱交換器のそれぞれの空調対象空間のうち、その温度が外気の温度よりも低いものが少なくとも一つ存在するとき、
前記第１の給湯単独運転として、前記四方弁の前記弁体が前記第１の位置に存在する状態で、前記圧縮機、前記給湯用熱交換器、前記第１膨張弁、及び前記室外熱交換器を順次に介して冷媒を循環させる空調給湯装置。
【請求項８】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記給湯単独運転に含まれる第１の給湯単独運転中、一端側で冷媒の流れが遮断されている室内熱交換器の他端側と前記第１配管とを連通させる第１の位置に、前記四方弁の前記弁体が存在し、
前記給湯用熱交換器で湯水を加熱する前記給湯単独運転を行う場合において、前記室内熱交換器の温度と前記室外熱交換器の温度との差が所定範囲内であり、さらに、当該給湯単独運転の開始前に前記四方弁の前記弁体が前記第１の位置に存在するときには、前記弁体を前記第１の位置に維持し、前記第１の給湯単独運転として、前記圧縮機、前記給湯用熱交換器、前記第１膨張弁、及び前記室外熱交換器を順次に介して冷媒を循環させる空調給湯装置。
【請求項９】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記第１配管において前記逆止弁の下流側と前記室外熱交換器とが第２配管を介して接続され、
前記給湯単独運転に含まれる第２の給湯単独運転中、前記室外熱交換器と前記第１配管とを連通させる第２の位置に、前記四方弁の前記弁体が存在し、前記圧縮機、前記給湯用熱交換器、前記第１膨張弁、及び前記室外熱交換器を順次に介して冷媒が循環し、且つ、一端側で冷媒の流れが遮断されている室内熱交換器の他端側と前記本体の内部の前記弁体の上側の空間とを連通させる空調給湯装置。
【請求項１０】
前記圧縮機、前記給湯用熱交換器、前記第１膨張弁、及び前記室外熱交換器を順次に介して冷媒が循環する状態と、
室内熱交換器が凝縮器として機能し、前記室外熱交換器が蒸発器として機能する別の状態と、のうち一方から他方に切替可能であり、
前記一方から前記他方に切り替えられる際、前記四方弁の前記弁体の位置が、前記第２の位置で維持されること
を特徴とする請求項９に記載の空調給湯装置。
【請求項１１】
前記圧縮機、前記給湯用熱交換器、前記第１膨張弁、及び前記室外熱交換器を順次に介して冷媒を循環させる前記給湯単独運転の開始前に少なくとも冷房運転が行われていた場合と、前記給湯単独運転の開始前に少なくとも暖房運転が行われていた場合とでは、前記給湯単独運転中の前記弁体の位置が異なっており、
前記弁体が前記第２の位置に存在する場合の前記第２の給湯単独運転の開始前には、少なくとも暖房運転が行われていること
を特徴とする請求項９に記載の空調給湯装置。
【請求項１２】
前記第２配管に設けられる第２開閉手段を備え、
前記第２の給湯単独運転中、前記第２開閉手段が開弁していること
を特徴とする請求項９に記載の空調給湯装置。
【請求項１３】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記給湯単独運転に含まれる第２の給湯単独運転中、前記室外熱交換器と前記第１配管とを連通させる第２の位置に、前記四方弁の前記弁体が存在し、
前記四方弁の室内側接続口は、室内熱交換器及び第３配管を順次に介して、前記給湯用熱交換器に接続され、
前記第１配管における前記逆止弁の下流側と、前記室外熱交換器と、を接続する第２配管と、
前記第２配管に設けられる第２開閉手段と、
前記第２配管において前記第２開閉手段よりも前記室外熱交換器側に一端が接続され、前記第３配管に他端が接続される第４配管と、
前記第３配管において、前記室内熱交換器の付近に設けられる第２膨張弁と、
前記第４配管に設けられる第３開閉手段と、をさらに備え、
前記第２の給湯単独運転中、前記第２開閉手段が開弁し、前記第２膨張弁及び前記第３開閉手段が、いずれも閉弁し、前記圧縮機、前記給湯用熱交換器、前記第１膨張弁、及び前記室外熱交換器を順次に介して冷媒を循環させる空調給湯装置。
【請求項１４】
前記室外熱交換器の除霜を行う除霜運転中、前記四方弁の前記弁体は前記第２の位置に存在し、前記圧縮機、前記給湯用熱交換器、前記第１膨張弁、及び前記室外熱交換器を順次に介して冷媒が循環するとともに、前記圧縮機、開弁状態の前記第１開閉手段、前記四方弁、前記室内熱交換器、第２膨張弁、及び前記室外熱交換器を順次に介して冷媒が循環すること
を特徴とする請求項９に記載の空調給湯装置。
【請求項１５】
前記室内熱交換器の一端付近に設けられる第２膨張弁を備え、
前記室外熱交換器の除霜を行う除霜運転中、前記圧縮機及び前記給湯用熱交換器を順次に介して通流する冷媒が前記第１膨張弁を迂回し、さらに、前記室外熱交換器、前記第２膨張弁、前記室内熱交換器、前記四方弁、及び前記逆止弁を順次に介して循環し、
前記四方弁の前記弁体は、前記室内熱交換器の他端側と前記第１配管とを連通させる第１の位置に存在していること
を特徴とする請求項９に記載の空調給湯装置。
【請求項１６】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記給湯単独運転に含まれる第２の給湯単独運転中、前記室外熱交換器と前記第１配管とを連通させる第２の位置に、前記四方弁の前記弁体が存在し、
前記給湯用熱交換器で湯水を加熱する前記給湯単独運転を行う場合において、
室内熱交換器の温度が前記室外熱交換器の温度よりも高いとき、
又は、
前記室内熱交換器の空調対象空間の温度が外気の温度よりも高いとき、
前記第２の給湯単独運転として、前記四方弁の前記弁体が前記第２の位置に存在する状態で、前記圧縮機、前記給湯用熱交換器、前記第１膨張弁、及び前記室外熱交換器を順次に介して冷媒を循環させる空調給湯装置。
【請求項１７】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
前記室外熱交換器に複数の室内熱交換器が並列接続され、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記給湯単独運転に含まれる第２の給湯単独運転中、前記室外熱交換器と前記第１配管とを連通させる第２の位置に、前記四方弁の前記弁体が存在し、
前記給湯用熱交換器で湯水を加熱する前記給湯単独運転を行う場合において、
複数の前記室内熱交換器のそれぞれの温度が全て、前記室外熱交換器の温度よりも高いとき、
又は、
複数の前記室内熱交換器のそれぞれの空調対象空間の温度が全て、外気の温度よりも高いとき、
前記第２の給湯単独運転として、前記四方弁の前記弁体が前記第２の位置に存在する状態で、前記圧縮機、前記給湯用熱交換器、前記第１膨張弁、及び前記室外熱交換器を順次に介して冷媒を循環させる空調給湯装置。
【請求項１８】
圧縮機、給湯用熱交換器、第１膨張弁、及び室外熱交換器を順次に介して冷媒が循環する冷媒回路を備えるとともに、
本体と、前記本体の内部に設けられる弁体と、を有し、前記冷媒回路における冷媒の流路を切り替える四方弁と、
前記四方弁の低圧側接続口と前記圧縮機の吸入側とを接続する第１配管に設けられる逆止弁と、を備え、
少なくとも給湯単独運転中には、前記四方弁の高圧側接続口と前記圧縮機の吐出側との間が第１開閉手段によって遮断され、
前記逆止弁は、前記四方弁から前記第１配管を介して前記圧縮機の吸入側に向かう冷媒の流れを許容し、逆向きの流れを禁止し、
前記給湯単独運転に含まれる第２の給湯単独運転中、前記室外熱交換器と前記第１配管とを連通させる第２の位置に、前記四方弁の前記弁体が存在し、
前記給湯用熱交換器で湯水を加熱する前記給湯単独運転を行う場合において、室内熱交換器の温度と前記室外熱交換器の温度との差が所定範囲内であり、さらに、当該給湯単独運転の開始前に前記四方弁の前記弁体が前記第２の位置に存在するときには、前記弁体を前記第２の位置に維持し、前記第２の給湯単独運転として、前記圧縮機、前記給湯用熱交換器、前記第１膨張弁、及び前記室外熱交換器を順次に介して冷媒を循環させる空調給湯装置。
【発明の詳細な説明】
【技術分野】
【０００１】
本発明は、空調給湯装置に関する。
【背景技術】
【０００２】
空調や給湯を行う空調給湯装置に関して、例えば、特許文献１に記載の技術が知られている。すなわち、特許文献１には、室内熱交換器で生じる排熱を給湯熱交換器において給湯に利用する冷房空調運転時、室外熱交換器の第１凝縮能力と、給湯熱交換器の第２凝縮能力と、の総凝縮能力が所定値となるように制御することが記載されている。
【先行技術文献】
【特許文献】
【０００３】
【特許文献１】特開２０１３−２１３６１２号公報
【発明の概要】
【発明が解決しようとする課題】
【０００４】
しかしながら、特許文献１に記載の技術では、室外熱交換器が常に凝縮器として機能するため、空調運転を行わずに給湯運転のみを単独で行うことができない構成になっている。また、特許文献１に記載の技術では、給湯運転時における四方弁を介した冷媒の流出の抑制等についても考慮されていない。【０００５】
そこで、本発明は、給湯運転等を適切に行うことが可能な空調給湯装置を提供することを課題とする。
【課題を解決するための手段】
【０００６】
前記課題を解決するために、本発明に係る空調給湯装置は、圧縮機、給湯用熱交換器、第１膨張弁、及び室外熱交換器を順次に介して冷媒が循環する冷媒回路を備えるとともに、本体と、前記本体の内部に設けられる弁体と、を有し、前記冷媒回路における冷媒の流路を切り替える四方弁と、前記四方弁の低圧側接続口と前記圧縮機の吸入側とを接続する第１配管に設けられる逆止弁と、を備え、少なくとも給湯単独運転中には、前記四方弁の高圧側接続口と前記圧縮機の吐出側との間が第１開閉手段によって遮断され、前記逆止弁は、前記四方弁から前記第１配管を介して前記圧縮機の吸入側に向かう冷媒の流れを許容し、逆向きの流れを禁止し、前記第１配管において前記逆止弁の下流側と前記室外熱交換器とが第２配管を介して接続され、前記給湯単独運転に含まれる第１の給湯単独運転中、一端側で冷媒の流れが遮断されている室内熱交換器の他端側と前記第１配管とを連通させる第１の位置に、前記四方弁の前記弁体が存在し、前記圧縮機、前記給湯用熱交換器、前記第１膨張弁、及び前記室外熱交換器を順次に介して冷媒を循環させることとした。
なお、その他については、実施形態の中で説明する。
【発明の効果】
【０００７】
本発明によれば、給湯運転等を適切に行うことが可能な空調給湯装置を提供できる。
【図面の簡単な説明】
【０００８】
【図１】本発明の実施形態に係る空調給湯装置の冷媒回路を含む構成図である。
【図２Ａ】本発明の実施形態に係る空調給湯装置が備える四方弁の断面図である。
【図２Ｂ】本発明の実施形態に係る空調給湯装置が備える四方弁の別の状態を示す断面図である。
【図３】本発明の実施形態に係る空調給湯装置の制御装置を含む機能ブロック図である。
【図４】本発明の実施形態に係る空調給湯装置の冷房単独運転時における各弁の状態や冷媒の流れを示す説明図である。
【図５】本発明の実施形態に係る空調給湯装置の冷房給湯運転時における各弁の状態や冷媒の流れを示す説明図である。
【図６】本発明の実施形態に係る空調給湯装置の第１の給湯単独運転時における各弁の状態や冷媒の流れを示す説明図である。
【図７】本発明の実施形態に係る空調給湯装置の暖房給湯運転時における各弁の状態や冷媒の流れを示す説明図である。
【図８】本発明の実施形態に係る空調給湯装置の第２の給湯単独運転時における各弁の状態や冷媒の流れを示す説明図である。
【図９】本発明の実施形態に係る空調給湯装置の第２の除霜運転時における各弁の状態や冷媒の流れを示す説明図である。
【発明を実施するための形態】
【０００９】
≪第１実施形態≫
＜空調給湯装置の構成＞
図１は、実施形態に係る空調給湯装置Ｗの冷媒回路Ｑを含む構成図である。
空調給湯装置Ｗは、空調や給湯を行う装置である。図１では、一例として、３台の室内ユニットＵｉを備えるマルチ型の空調給湯装置Ｗを示している。
図１に示すように、空調給湯装置Ｗは、圧縮機１と、貯湯タンク２と、給湯用熱交換器３と、室外熱交換器４と、室外ファン５と、室内熱交換器６と、室内ファン７と、を備えている。また、空調給湯装置Ｗは、前記した構成の他に、四方弁８と、膨張弁９〜１２と、電磁弁１３，１４と、逆止弁１５と、制御装置１６と、を備えている。
【００１０】
圧縮機１は、低温低圧のガス冷媒を圧縮し、高温高圧のガス冷媒として吐出する機器である。このような圧縮機１として、例えば、スクロール圧縮機やロータリ圧縮機が用いられるが、これに限定されるものではない。
【００１１】
貯湯タンク２は、湯水を貯留するための殻状部材である。なお、図１では図示を省略しているが、給水源（図示せず）から貯湯タンク２に水を供給するための給水管（図示せず）が、貯湯タンク２の下部に接続されている。また、貯湯タンク２に貯留されている高温水を取り出すための給湯管（図示せず）が、貯湯タンク２の上部に接続されている。そして、前記した給湯管を通流する高温水と、給水源から供給される水と、が所定に混合され、混合後の湯水が給湯端末（図示せず）に供給されるようになっている。
【００１２】
給湯用熱交換器３は、その伝熱管３ａを通流する冷媒と、貯湯タンク２に貯留された湯水と、の間で熱交換が行われる熱交換器である。なお、図１では、貯湯タンク２の内部に給湯用熱交換器３が配置される例を示しているが、これに限定されるものではない。すなわち、貯湯タンク２の外部に給湯用熱交換器３を配置し、貯湯タンク２からポンプ（図示せず）で圧送される湯水と、伝熱管３ａを通流する冷媒と、の間で熱交換が行われるようにしてもよい。
【００１３】
図１に示すように、給湯用熱交換器３の伝熱管３ａの一端ｐ３は、配管ｋａを介して、圧縮機１の吐出側に接続されている。また、伝熱管３ａの他端ｑ３は、配管ｋｂ（第３配管）を介して、それぞれの室内熱交換器６の一端ｐ６に接続されている。つまり、配管ｋｂは３つに分岐しており、その端部が一対一で３つの室内熱交換器６に接続されている。
【００１４】
室外熱交換器４は、その伝熱管（図示せず）を通流する冷媒と、室外ファン５から送り込まれる外気と、の間で熱交換が行われる熱交換器である。室外熱交換器４の一端ｐ４は、配管ｋｃ及び配管ｋｂ（一部）を順次に介して、それぞれの室内熱交換器６の一端ｐ６に接続されている。室外熱交換器４の他端ｑ４は、配管ｋｄ（第２配管）を介して、別の配管ｋｅ（第１配管）に接続されている。この配管ｋｅは、圧縮機１の吸入側と四方弁８とを接続する配管である。
【００１５】
室外ファン５は、室外熱交換器４に外気を送り込むファンであり、室外熱交換器４の付近に配置されている。
【００１６】
室内熱交換器６は、その伝熱管（図示せず）を通流する冷媒と、室内ファン７から送り込まれる室内空気（空調対象空間の空気）と、の間で熱交換が行われる熱交換器である。３つの室内熱交換器６の一端ｐ６は、前記したように、配管ｋｂに接続されている。３つの室内熱交換器６の他端ｑ６は、配管ｋｆを介して、四方弁８に接続されている。つまり、配管ｋｆは３つに分岐しており、その端部が一対一で３つの室内熱交換器６に接続されている。
【００１７】
室内ファン７は、室内熱交換器６に室内空気を送り込むファンであり、室内熱交換器６の付近に配置されている。
四方弁８は、運転モードに応じて、冷媒回路Ｑにおける冷媒の流路を切り替える弁である。この四方弁８の構成について、図２Ａ、図２Ｂを用いて説明する。
【００１８】
図２Ａは、空調給湯装置が備える四方弁８の断面図である。
図２Ａに示すように、四方弁８は、本体８１と、弁体８２と、台座８３と、連結板８４と、ピストン８５，８６と、を備えている。
本体８１は、その内部でピストン８５，８６が移動するシリンダであり、外形が円筒状を呈している。本体８１の上部には、高圧側接続口ｈｇが設けられている。この高圧側接続口ｈｇは、圧縮機１（図１参照）の吐出側と四方弁８とを連通させるための孔である。高圧側接続口ｈｇには、配管ｋｇの一端が接続されている。
【００１９】
図２Ａに示すように、四方弁８の本体８１の内部において、高圧側接続口ｈｇの反対側（下側）には、台座８３が設置されている。台座８３は、弁体８２が摺動しながら移動する際の相手方となる固定部材である。台座８３及び本体８１には、室外側接続口ｈｉ、低圧側接続口ｈｅ、及び室内側接続口ｈｆが、横並びで設けられている。
【００２０】
室外側接続口ｈｉは、室外熱交換器４（図１参照）と四方弁８とを連通させるための孔である。この室外側接続口ｈｉには、配管ｋｉの一端が接続されている。なお、配管ｋｉの他端（図１の接続箇所ｍ１）は、配管ｋｄにおいて電磁弁１３よりも上流側（室外熱交換器４に近い側）に接続されている。
【００２１】
低圧側接続口ｈｅは、圧縮機１（図１参照）の吸入側と四方弁８とを、逆止弁１５等（図１参照）を介して接続するための孔である。この低圧側接続口ｈｅには、配管ｋｅの一端が接続されている。なお、配管ｋｅの他端は、圧縮機１の吸入側に接続されている。
【００２２】
室内側接続口ｈｆは、室内熱交換器６（図１参照）の他端ｑ６側と四方弁８とを連通させるための孔である。この室内側接続口ｈｆは、配管ｋｆ、室内熱交換器６、及び配管ｋｂ（第３配管）を順次に介して、給湯用熱交換器３に接続されている。
【００２３】
弁体８２は、その移動によって四方弁８の流路を切り替えるものであり、本体８１の内部に設けられている。図２Ａに示すように、弁体８２は、湾曲部８２ａと、フランジ８２ｂと、を備えている。湾曲部８２ａは、縦断面視で上に凸の∩状に湾曲している。フランジ８２ｂは、湾曲部８２ａと一体成形され、湾曲部８２ａの周縁から横方向外側に延びている。そして、弁体８２が横方向に移動する過程で、台座８３に対してフランジ８２ｂが摺動するようになっている。
【００２４】
連結板８４は、弁体８２とピストン８５，８６とを連結する板である。この連結板８４は、弁体８２に固定されるとともに、その左右両端がピストン８５，８６に固定されている。連結板８４には、室外側接続口ｈｉを弁体８２の上側の空間に連通させるための孔ｈｘ（図２Ａの状態）や、室内側接続口ｈｆを弁体８２の上側の空間に連通させるための孔ｈｙ（図２Ｂの状態）が設けられている。
ピストン８５，８６は、弁体８２及び連結板８４を左右方向に移動させるものである。
【００２５】
例えば、少なくとも冷房運転が行われる際には、図２Ａに示す「第１の位置」に弁体８２が配置される。これによって、高圧側接続口ｈｇと室外側接続口ｈｉとが弁体８２の上側の空間を介して連通する。また、室内側接続口ｈｆと低圧側接続口ｈｅとが弁体８２の下側の空間を介して連通する。このような四方弁８の状態を、以下では、「第１の状態」という。
【００２６】
図２Ｂは、空調給湯装置が備える四方弁８の別の状態を示す断面図である。
例えば、少なくとも暖房運転が行われる際には、図２Ｂに示す「第２の位置」に弁体８２が配置される。その結果、高圧側接続口ｈｇと室内側接続口ｈｆとが弁体８２の上側の空間を介して連通する。また、室外側接続口ｈｉと低圧側接続口ｈｅとが弁体８２の下側の空間を介して連通する。このような四方弁８の状態を、以下では、「第２の状態」という。なお、図２Ａ、図２Ｂに示す四方弁８の構成は一例であり、これに限定されるものではない。
【００２７】
再び、図１に戻って説明を続ける。なお、図１では、四方弁８に関して本体８１及び弁体８２を模式的に図示し、他の構成の図示を省略している。
図１に示す膨張弁９は、給湯運転が行われる際に開かれる弁であり、配管ｋａに設けられている。
別の膨張弁１０（第１開閉手段）は、圧縮機１から吐出される高圧の冷媒を四方弁８に導く際に開かれる弁であり、配管ｋｇに設けられている。なお、配管ｋｇの一端は、高圧側接続口ｈｇに接続されている。また、配管ｋｇの他端は、配管ｋａにおいて膨張弁９よりも上流側に接続されている。
【００２８】
膨張弁１１（第１膨張弁）は、給湯運転中に冷媒を減圧する弁であり、配管ｋｂに設けられている。より詳しく説明すると、配管ｋｂの分岐点ｍ２よりも上流側（給湯用熱交換器３に近い側）に膨張弁１１が設けられている。
膨張弁１２（第２膨張弁）は、冷房運転や暖房運転が行われるときに冷媒を減圧する弁である。この膨張弁１２は、配管ｋｂ（第３配管）において、室内熱交換器６の一端ｐ６の付近に設けられている。
【００２９】
図１に示す電磁弁１３（第２開閉手段）は、室外熱交換器４が蒸発器として機能しているとき、この室外熱交換器４で蒸発した冷媒を圧縮機１の吸入側に戻す際に開かれる弁であり、配管ｋｄ（第２配管）に設けられている。なお、電磁弁１３は、開・閉の２つの状態で切替可能な二方弁である（電磁弁１４も同様）。
【００３０】
また、図１に示す配管ｋｊ（第４配管）が設けられている。この配管ｋｊは、前記した配管ｋｄにおいて電磁弁１３よりも室外熱交換器４側に一端が接続され、配管ｋｂにおいて膨張弁１１よりも給湯用熱交換器３側に他端が接続されている。
電磁弁１４（第３開閉手段）は、給湯用熱交換器３で凝縮した冷媒を室外熱交換器４に導く際に開かれる弁であり、配管ｋｊに設けられている。
【００３１】
逆止弁１５は、四方弁８から配管ｋｅ（第１配管）を介して圧縮機１の吸入側に向かう冷媒の流れを許容し、逆向きの流れを禁止する弁である。この逆止弁１５は、四方弁８の低圧側接続口ｈｅと圧縮機１の吸入側とを接続する配管ｋｅに設けられている。また、配管ｋｅにおいて、逆止弁１５の下流側と室外熱交換器４とが配管ｋｄを介して接続されている。
【００３２】
図１に示す制御装置１６は、空調給湯装置Ｗの各機器を制御する装置である。制御装置１６は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。制御装置１６は、不図示の各種センサの検出値やリモコンからの信号に基づいて、室外ファン５や室内ファン７の他、四方弁８等の各弁を制御する。
【００３３】
なお、図１に示す例では、圧縮機１、室外熱交換器４、室外ファン５、四方弁８、膨張弁９〜１１、電磁弁１３，１４、逆止弁１５、制御装置１６等が、室外ユニットＵｏに設けられている。一方、室内熱交換器６や室内ファン７は、室内ユニットＵｉに設けられている。
【００３４】
図３は、空調給湯装置の制御装置１６を含む機能ブロック図である。
図３に示すように、制御装置１６は、圧縮機制御部１６ａと、ファン制御部１６ｂと、弁制御部１６ｃと、を備えている。
圧縮機制御部１６ａは、各センサの検出値（図３に示す「センサ入力」）やリモコンからの信号（図３に示す「リモコン入力」）に基づいて、圧縮機１を制御する。
ファン制御部１６ｂは、各センサの検出値等に基づいて、室外ファン５や室内ファン７を制御する。
弁制御部１６ｃは、各センサの検出値等に基づいて、四方弁８や膨張弁９〜１２、電磁弁１３を制御する。
【００３５】
なお、図３では、室外ユニットＵｏ（図１参照）に設けられた制御装置１６が各機器を制御する例を示したが、これに限らない。すなわち、３つの室内ユニットＵｉ（図１参照）のそれぞれに別の制御装置（図示せず）を設け、室外ユニットＵｏの制御装置１６との間で所定の通信を行うようにしてもよい。
次に、空調給湯装置Ｗの各運転モードについて説明する。
【００３６】
＜冷房単独運転＞
図４は、冷房単独運転時における各弁の状態や冷媒の流れを示す説明図である。
なお、「冷房単独運転」とは、給湯用熱交換器３に冷媒を通流させずに冷房運転を単独で行う運転モードである。図４では、閉弁状態の膨張弁９，１１や電磁弁１３，１４をハッチング（斜線入り）で図示し、開弁状態の膨張弁１０や、開度調整される膨張弁１２を白抜きで図示している（図５〜図８についても同様）。さらに、図４では、冷媒が循環する流路を太線で図示している。
【００３７】
冷房単独運転を行う際、制御装置１６は、図４に示すように、四方弁８を「第１の状態」（図２Ａ参照）にする。さらに、制御装置１６は、膨張弁９，１１及び電磁弁１３，１４を閉弁する一方、膨張弁１０を開弁（略全開）し、３つの膨張弁１２の開度を適宜に調整する。
【００３８】
これによって、給湯用熱交換器３には冷媒が流れず、また、室外熱交換器４が凝縮器として機能するとともに、室内熱交換器６が蒸発器として機能する。そして、圧縮機１から吐出された冷媒は、四方弁８、室外熱交換器４（凝縮器）、膨張弁１２、室内熱交換器６（蒸発器）、四方弁８、及び逆止弁１５を順次に介して、圧縮機１の吸入側に戻される。その結果、室内ユニットＵｉが設けられた空調対象空間（図示せず）の空気が冷やされる。
【００３９】
＜冷房給湯運転＞
図５は、冷房給湯運転時における各弁の状態や冷媒の流れを示す説明図である。
なお、「冷房給湯運転」とは、給湯用熱交換器３に冷媒を通流させて湯水の沸上げや沸増しを行いつつ、冷房運転を行う運転モードである。
冷房給湯運転を行う際、制御装置１６は、図５に示すように、四方弁８を「第１の状態」（図２Ａ参照）で維持する。さらに、制御装置１６は、膨張弁１０，１１及び電磁弁１３を閉弁する一方、膨張弁９及び電磁弁１４を開弁し、膨張弁１２の開度を適宜に調整する。
【００４０】
これによって、給湯用熱交換器３及び室外熱交換器４が凝縮器として機能する一方、室内熱交換器６が蒸発器として機能する。そして、圧縮機１から吐出された冷媒は、四方弁８、膨張弁９、給湯用熱交換器３（凝縮器）、電磁弁１４、室外熱交換器４（凝縮器）、膨張弁１２、室内熱交換器６（蒸発器）、四方弁８、及び逆止弁１５を順次に介して、圧縮機１の吸入側に戻される。これによって、圧縮機１から吐出される冷媒の熱の一部を給湯に用い、残りの熱を冷房に用いることができる。
【００４１】
なお、冷房給湯運転中、貯湯タンク２に貯留された湯水の温度が所定値以上になった場合、制御装置１６は、四方弁８を「第１の状態」（図２Ａ参照）で維持しつつ、冷房単独運転（図４参照）に切り替える。
【００４２】
＜第１の給湯単独運転＞
図６は、第１の給湯単独運転時における各弁の状態や冷媒の流れを示す説明図である。
なお、「第１の給湯単独運転」とは、空調運転を行わずに、四方弁８を「第１の状態」（図２Ａ参照）にして、湯水の沸上げや沸増しを単独で行う運転モードである。
第１の給湯単独運転を行う際、制御装置１６は、図６に示すように、四方弁８を「第１の状態」（図２Ａ参照）にする。例えば、冷房単独運転（図４参照）から第１の給湯単独運転に切り替える場合や、冷房給湯運転（図５参照）から第１の給湯単独運転に切り替える際、制御装置１６は、四方弁８を「第１の状態」で維持する。
【００４３】
これによって、夏季に運転モードが切り替わっても、四方弁８を「第１の状態」で維持すればよいため、冷凍サイクルをいったん止める（つまり、圧縮機１を止める）必要がない。したがって、夏季に運転モードの切替えを速やかに行うことができるため、ユーザにとっての快適性を高めることができる。
【００４４】
第１の給湯単独運転を行う際、制御装置１６は、膨張弁１０，１２及び電磁弁１４を閉弁する一方、電磁弁１３を開弁し、膨張弁１１の開度を適宜に調整する。これによって、給湯用熱交換器３が凝縮器として機能する一方、室外熱交換器４が蒸発器として機能する。すなわち、圧縮機１から吐出された冷媒は、冷媒回路Ｑにおいて、給湯用熱交換器３（凝縮器）、膨張弁１１（第１膨張弁）、室外熱交換器４（蒸発器）、及び電磁弁１３を順次に介して循環する。
【００４５】
また、第１の給湯単独運転中、四方弁８は「第１の状態」になっている。これによって、室内熱交換器６が、配管ｋｆ、四方弁８の室内側接続口ｈｆ、及び低圧側接続口ｈｅを順次に介して、配管ｋｅ（第１配管）に連通する。言い換えると、一端Ｐ６側で冷媒の流れが遮断されている室内熱交換器６の他端ｑ６側と、配管ｋｅ（第１配管）と、を連通させる「第１の位置」に四方弁８の弁体８２が存在している。
【００４６】
また、第１の給湯単独運転中、膨張弁１０は閉弁状態である。つまり、四方弁８の高圧側接続口ｈｇと圧縮機１の吐出側との間が膨張弁１０（第１開閉手段）によって遮断されている。したがって、四方弁８において、弁体８２の上側の空間には高圧冷媒がほとんど流れ込まない。
【００４７】
このような第１の給湯単独運転では、四方弁８の台座８３（図２Ａ参照）に対して弁体８２を上から押さえ付ける圧力が弱くなる。ただし、第１の給湯単独運転が行われることが多い夏季には、冷房で冷やされた空調対象空間の空気の温度よりも外気の温度の方が高いことが多い。そして、四方弁８の本体８１において、弁体８２の上側（外側）の空間は室外側接続口ｈｉ等を介して室外熱交換器４に連通している。一方、弁体８２の下側（内側）の空間は、室内側接続口ｈｆ等を介して室内熱交換器６に連通している。したがって、弁体８２の上側の方が下側よりも温度が高くなりやすく、また、高圧になりやすい。
【００４８】
その結果、四方弁８の台座８３（図２Ａ参照）に対して弁体８２が上から押さえ付けられるため、台座８３と弁体８２との間に隙間が生じることはほどんどない。したがって、室外熱交換器４から配管ｋｄを介して通流する冷媒が、配管ｋｉ、四方弁８、及び配管ｋｆを順次に介して、室内熱交換器６に流れ出ることはほとんどない。
【００４９】
一方、配管ｋｅの上流側は、低圧側接続口ｈｅ、室内側接続口ｈｆ、及び配管ｋｆを順次に介して、室内熱交換器６に連通している。ここで、仮に、配管ｋｅに逆止弁１５が設けられていない場合には、室外熱交換器４で蒸発したガス冷媒が、配管ｋｄ、配管ｋｅ（一部）、低圧側接続口ｈｅ、室内側接続口ｈｆ、及び配管ｋｆを順次に介して、室内熱交換器６に流れ込む可能性がある。その結果、室内熱交換器６に冷媒が無駄に多く溜められ、冷凍サイクルの効率の低下を招く可能性がある。
【００５０】
これに対して本実施形態では、四方弁８の低圧側接続口ｈｅと、圧縮機１の吸入側と、を接続する配管ｋｅに逆止弁１５が設けられている。したがって、第１の給湯単独運転を行う場合でも、室外熱交換器４で蒸発したガス冷媒が、四方弁８を介して室内熱交換器６に流れ出ることを抑制し、冷凍サイクルの高効率化を図ることができる。
【００５１】
また、本実施形態では、圧縮機１、給湯用熱交換器３、膨張弁１１（第１膨張弁）、及び室外熱交換器４を順次に介して冷媒が循環する状態（第１の給湯単独運転：図６参照）と、室外熱交換器４が凝縮器として機能し、室内熱交換器６が蒸発器として機能する別の状態（冷房単独運転や冷房給湯運転：図４、図５参照）と、のうち一方から他方に切替可能である。そして、前記した一方から他方に切り替えられる際、四方弁８の弁体８２の位置が「第１の位置」（図２Ａ参照）で維持される。これによって、前記したように、運転モードの切替えを速やかに行うことができ、ユーザにとっての快適性を高めることができる。
【００５２】
また、第１の給湯単独運転中、電磁弁１３（第２開閉手段）が開弁している。これによって、室外熱交換器４と、圧縮機１の吸入側と、が配管ｋｄ及び配管ｋｅ（一部）を順次に介して連通する。したがって、室外熱交換器４で蒸発した冷媒を圧縮機１の吸入側に戻すことができる。
【００５３】
また、第１の給湯単独運転中、膨張弁１２（第２膨張弁）及び電磁弁１４（第３開閉手段）が、いずれも閉弁している。これによって、室外熱交換器４を蒸発器として機能させる一方、室内熱交換器６への冷媒の通流を遮断できる。
【００５４】
＜暖房単独運転＞
次に、図示は省略するが、給湯用熱交換器３に冷媒を通流させずに暖房運転を単独で行う「暖房単独運転」について簡単に説明する。
暖房単独運転を行う際、制御装置１６は、四方弁８を「第２の状態」（図２Ｂ参照）にし、膨張弁９，１１及び電磁弁１４を閉弁する一方、膨張弁１０及び電磁弁１３を開弁し、さらに、膨張弁１２の開度を適宜に調整する。これによって、室内熱交換器６が凝縮器として機能し、室外熱交換器４が蒸発器として機能するため、空調対象空間（図示せず）の空気が温められる。
【００５５】
＜暖房給湯運転＞
図７は、暖房給湯運転時における各弁の状態や冷媒の流れを示す説明図である。
なお、「暖房給湯運転」とは、給湯用熱交換器３に冷媒を通流させて湯水の沸上げや沸増しを行いつつ、暖房運転を行う運転モードである。
暖房給湯運転を行う際、制御装置１６は、図７に示すように、四方弁８を「第２の状態」（図２Ｂ参照）にする。さらに、制御装置１６は、電磁弁１４を閉弁し、膨張弁９，１０及び電磁弁１３を開弁し、膨張弁１１，１２の開度を適宜に調整する。
【００５６】
これによって、給湯用熱交換器３及び室内熱交換器６が凝縮器として機能するとともに、室外熱交換器４が蒸発器として機能する。そして、圧縮機１から吐出された冷媒は、膨張弁９を介して給湯用熱交換器３に導かれるとともに、別の膨張弁１０を介して四方弁８にも導かれる。圧縮機１から給湯用熱交換器３（凝縮器）に導かれた冷媒は、膨張弁１１を介して配管ｋｃに導かれる一方、圧縮機１から四方弁８に導かれた冷媒は、室内熱交換器６（凝縮器）及び膨張弁１２を順次に介して配管ｋｃに導かれる。
【００５７】
配管ｋｃで合流し、さらに、室外熱交換器４（蒸発器）で蒸発した冷媒の一部は、電磁弁１３を介して、圧縮機１の吸入側に戻される。一方、室外熱交換器４（蒸発器）で蒸発した冷媒の残りは、四方弁８及び逆止弁１５を順次に介して、圧縮機１の吸入側に戻される。これによって、圧縮機１から吐出される冷媒の熱の一部を給湯に用い、残りの熱を暖房に用いることができる。
【００５８】
＜第２の給湯単独運転＞
図８は、第２の給湯単独運転時における各弁の状態や冷媒の流れを示す説明図である。
なお、「第２の給湯単独運転」とは、空調運転を行わずに、四方弁８を「第２の状態」（図２Ｂ参照）にして、湯水の沸上げや沸増しを単独で行う運転モードである。
第２の給湯単独運転を行う際、制御装置１６は、図８に示すように、四方弁８を「第２の状態」（図２Ｂ参照）にする。例えば、暖房単独運転から第２の給湯単独運転に切り替える場合や、暖房給湯運転（図７参照）から第２の給湯単独運転に切り替える場合、制御装置１６は、四方弁８を「第２の状態」で維持する。
【００５９】
これによって、冬季に運転モードが切り替わっても、四方弁８を「第２の状態」で維持できるため、冷凍サイクルをいったん止める（つまり、圧縮機１を止める）必要がなくなる。したがって、冬季に運転モードの切替えを速やかに行うことができるため、ユーザにとっての快適性を高めることができる。
【００６０】
第２の給湯単独運転を行う際、制御装置１６は、膨張弁１０，１２及び電磁弁１４を閉弁する一方、膨張弁９及び電磁弁１３を開弁し、膨張弁１１の開度を適宜に調整する。これによって、給湯用熱交換器３が凝縮器として機能する一方、室外熱交換器４が蒸発器として機能する。そして、圧縮機１から吐出された冷媒は、冷媒回路Ｑにおいて、給湯用熱交換器３（凝縮器）、膨張弁１１（第１膨張弁）、室外熱交換器４（蒸発器）、及び電磁弁１３を順次に介して循環する。なお、室外熱交換器４で蒸発した冷媒の一部は、四方弁８及び逆止弁１５を順次に介して、圧縮機１の吸入側に戻される。
【００６１】
また、第２の給湯単独運転中、四方弁８は「第２の状態」であるため、室外熱交換器４が、配管ｋｄ（一部）、四方弁８の室外側接続口ｈｉ、及び低圧側接続口ｈｅを順次に介して、配管ｋｅ（第１配管）に連通する。言い換えると、室外熱交換器４と配管ｋｅ（第１配管）とを連通させる「第２の位置」に四方弁８の弁体８２が存在している。
【００６２】
また、第２の給湯単独運転中、膨張弁１０は閉弁状態である。つまり、四方弁８の高圧側接続口ｈｇと圧縮機１の吐出側との間が膨張弁１０（第１開閉手段）によって遮断されている。したがって、四方弁８において、弁体８２の上側の空間には高圧冷媒がほとんど流れ込まない。
【００６３】
このような第２の給湯単独運転では、弁体８２を台座８３（図２Ｂ参照）に押し付ける圧力が弱くなる。ただし、第２の給湯単独運転が行われることが多い冬季には、暖房で温められた空調対象空間の空気の温度よりも外気の温度の方が低いことが多い。そして、四方弁８の本体８１において、弁体８２の上側（外側）の空間は、室内側接続口ｈｆ等を介して室内熱交換器６に連通している。一方、弁体８２の下側（内側）の空間は、室外側接続口ｈｉ等を介して室外熱交換器４に連通している。したがって、弁体８２の上側の方が下側よりも温度が高くなりやすく、また、高圧になりやすい。その結果、四方弁８の台座８３（図２Ｂ参照）に対して弁体８２が上から押さえ付けられるため、台座８３と弁体８２との間に隙間が生じることはほどんどない。
【００６４】
また、逆止弁１５は、四方弁８から配管ｋｅを介して圧縮機１の吸入側に向かう冷媒の流れを許容し、逆向きの流れを禁止するように設置されている。したがって、配管ｋｄ（一部）、配管ｋｉ、室外側接続口ｈｉ、低圧側接続口ｈｅ、及び配管ｋｅを順次に介して圧縮機１の吸入側に向かう冷媒の流れが、逆止弁１５によって阻害されるおそれはない。
【００６５】
また、本実施形態では、圧縮機１、給湯用熱交換器３、膨張弁１１（第１膨張弁）、及び室外熱交換器４を順次に介して冷媒が循環する状態（第２の給湯単独運転：図８参照）と、室内熱交換器６が凝縮器として機能し、室外熱交換器４が蒸発器として機能する別の状態（暖房単独運転や暖房給湯運転：図７参照）と、のうち一方から他方に切替可能である。そして、前記した一方から他方に切り替えられる際、四方弁８の弁体８２の位置が「第２の位置」で維持される（図２Ｂ参照）。これによって、前記したように、運転モードの切替えを速やかに行うことができ、ユーザにとっての快適性を高めることができる。
【００６６】
また、第２の給湯単独運転中、電磁弁１３（第２開閉手段）が開弁している。これによって、室外熱交換器４で蒸発した冷媒を、電磁弁１３を介して圧縮機１の吸入側に戻すことができる。
【００６７】
また、第２の給湯単独運転中、膨張弁１２（第２膨張弁）及び電磁弁１４（第３開閉手段）が、いずれも閉弁している。これによって、室外熱交換器４を蒸発器として機能させる一方、室内熱交換器６への冷媒の通流を遮断できる。
【００６８】
また、少なくとも冷房運転（冷房単独運転、冷凍給湯運転：図４、図５参照）が行われる際には、四方弁８において、図２Ａに示す「第１の位置」に弁体８２が配置される。その一方、少なくとも暖房運転（暖房単独運転、暖房給湯運転：図７参照）が行われる際には、図２Ｂに示す「第２の位置」に弁体８２が配置される。
また、給湯単独運転の開始前に（つまり、給湯単独運転の開始直前の運転モードとして）少なくとも冷房運転が行われていた場合と、給湯単独運転の開始前に少なくとも暖房運転が行われていた場合とでは、給湯単独運転中の四方弁８の弁体８２の位置が異なっている。
【００６９】
例えば、四方弁８の弁体８２が「第１の位置」（図２Ａ参照）に存在する場合の第１の給湯単独運転（図６参照）の開始前には、少なくとも冷房運転（図４、図５参照）が行われている。一方、四方弁８の弁体８２が「第２の位置」（図２Ｂ参照）に存在する場合の第２の給湯単独運転（図８参照）の開始前には、少なくとも暖房運転（図７参照）が行われている。これによって、夏季には四方弁８の弁体８２を「第１の位置」で維持できる一方、冬季には弁体８２を「第２の位置」で維持できる。したがって、夏季・冬季のいずれにおいても、四方弁８の状態を変えることなく、空調給湯装置Ｗの運転モードを速やかに切り替えることができる。
【００７０】
≪除霜運転≫
蒸発器として機能している室外熱交換器４に多量の霜が付着した場合、室外熱交換器４の伝熱管（図示せず）に高温の冷媒を流して霜を溶かすことで、熱交換効率の低下を抑制することが望ましい。このような除霜運転として、以下では、第１の除霜運転及び第２の除霜運転について順に説明する。
【００７１】
＜第１の除霜運転＞
第１の除霜運転とは、貯湯タンク２の湯水の熱を用いて、室外熱交換器４の霜を溶かす運転モードである。なお、第１の除霜運転における各弁の開閉状態については、膨張弁９〜１２の開度の大きさ以外は、暖房給湯運転（図７参照）と同様である。したがって、図７を用いて、第１の除霜運転について説明する。なお、第１の除霜運転の開始時には、貯湯タンク２に貯留されている湯水の温度が比較的高いものとする。
【００７２】
第１の除霜運転を行う際、制御装置１６は、図７に示すように、四方弁８を「第２の状態」（図２Ｂ参照）にする。さらに、制御装置１６は、電磁弁１４を閉弁する一方、電磁弁１３を開弁し、膨張弁９〜１２の開度を適宜に調整する。なお、膨張弁１１の開度は、略全開である。
【００７３】
例えば、暖房運転から第１の除霜運転に移行する際、制御装置１６は、四方弁８を含む各弁を前記したように制御し、暖房運転中は閉弁状態であった膨張弁１１を略全開にする。そうすると、給湯用熱交換器３に存在していた高温の冷媒が、配管ｋｂ（一部）及び配管ｋｃを順次に介して、室外熱交換器４に流れ込む。これによって、室外熱交換器４に付着した霜が溶かされる。
【００７４】
すなわち、室外熱交換器４の除霜を行う除霜運転中、四方弁８の弁体８２は「第２の位置」（図２Ｂ参照）に存在し、圧縮機１、給湯用熱交換器３、膨張弁１１（第１膨張弁）、及び室外熱交換器４を順次に介して冷媒が循環する。
さらに、圧縮機１、開弁状態の膨張弁１０（第１開閉手段）、四方弁８、室内熱交換器６、膨張弁１２（第２膨張弁）、及び室外熱交換器４を順次に介して冷媒が循環する。これによって、室外熱交換器４の除霜を行いつつ、暖房運転を継続できる。なお、膨張弁１０の開度が所定に調整されている状態も、前記した「開弁状態」に含まれる。
【００７５】
また、暖房運転時、及び、第１の除霜運転時の一方から他方に移行する際、四方弁８の弁体８２を移動させる必要がないため、運転モードの切替えを速やかに行うことができる。したがって、ユーザにとっての快適性を高めることができる。
【００７６】
＜第２の除霜運転＞
図９は、第２の除霜運転時における各弁の状態や冷媒の流れを示す説明図である。
なお、「第２の除霜運転」とは、室外熱交換器４を凝縮器として機能させて除霜を行うとともに、貯湯タンク２の湯水の熱を用いて、室外熱交換器４の除霜を行う運転モードである。なお、第２の除霜運転の開始時には、貯湯タンク２に貯留されている湯水の温度が比較的高いものとする。
【００７７】
第２の除霜運転を行う際、制御装置１６は、図９に示すように、四方弁８を「第１の状態」（図２Ａ参照）にする。さらに、制御装置１６は、膨張弁１１及び電磁弁１３を閉弁する一方、電磁弁１４を開弁し、膨張弁９，１０，１２の開度を適宜に調整する。
【００７８】
例えば、暖房運転から第２の除霜運転に移行する際、暖房運転中は閉弁状態であった電磁弁１４が開弁されると、給湯用熱交換器３に存在していた高温の冷媒が、配管ｋｂ（一部）、配管ｋｊ、及び配管ｋｄ（一部）を順次に介して、室外熱交換器４に流れ込む。これによって、室外熱交換器４に付着した霜が溶かされる。
【００７９】
すなわち、室外熱交換器４の除霜を行う除霜運転中、圧縮機１及び給湯用熱交換器３を順次に介して通流する冷媒が膨張弁１１（第１膨張弁）を迂回し、さらに、室外熱交換器４、膨張弁１２（第２膨張弁）、室内熱交換器６、四方弁８、及び逆止弁１５を順次に介して循環する。ここで、四方弁８の弁体８２は、室内熱交換器６の他端ｑ６側と配管ｋｅ（第１配管）とを連通させる「第１の位置」に存在している。これによって、室外熱交換器４が凝縮器として機能する。
【００８０】
その結果、給湯用熱交換器３から室外熱交換器４に導かれる高温の冷媒と相まって、室外熱交換器４の霜が速やかに溶かされる。したがって、第２の除霜運転では、第１の除霜運転よりも短時間で室外熱交換器４の除霜を行うことができる。
【００８１】
なお、室外熱交換器４の除霜運転は、前記した制御に限定されない。例えば、給湯用熱交換器３への冷媒の流れを膨張弁９で遮断し、室外熱交換器４を凝縮器として機能させる一方、室内熱交換器６を蒸発器として機能させることで、室外熱交換器４の除霜を行うようにしてもよい。
【００８２】
＜効果＞
本実施形態によれば、四方弁８から配管ｋｅを介して圧縮機１の吸入側に向かう冷媒の流れが逆止弁１５によって許容され、逆向きの流れが禁止される。これによって、第１の給湯単独運転（図６参照）や、第２の給湯単独運転（図８参照）が行われているとき、室外熱交換器４で蒸発したガス冷媒が、四方弁８を介して、室内熱交換器６に流れ出ることを抑制できる。したがって、冷凍サイクルの高効率化を図ることができる。
【００８３】
また、少なくとも冷房運転が行われていた状態（図４、図５参照）から第１の給湯単独運転（図６参照）に切り替えられる際、四方弁８が「第１の状態」（図２Ａ参照）で維持される。一方、少なくとも暖房運転が行われていた状態（図７参照）から第２の給湯単独運転（図８参照）に切り替えられる際、四方弁８が「第２の状態」（図２Ｂ参照）で維持される。したがって、運転モードの切替えが速やかに行われるため、ユーザにとっての快適性を高めることができる。
【００８４】
≪変形例≫
以上、本発明に係る空調給湯装置Ｗについて実施形態で説明したが、本発明はこれらの記載に限定されるものではなく、種々の変更を行うことができる。
例えば、実施形態（図１参照）では、配管ｋａに膨張弁９が設けられ、別の配管ｋｇに膨張弁１０（第１開閉手段）が設けられる構成について説明したが、膨張弁９，１０は必ずしもそれぞれ単独の弁で構成される必要はない。すなわち、膨張弁９，１０に代えて、配管ｋａ，ｋｇの接続箇所に三方弁（第１開閉手段）を設けてもよいし、また、四方弁（第１開閉手段）を設けてもよい。このような構成でも、実施形態と同様の効果が奏される。
【００８５】
また、実施形態（図１参照）で説明した膨張弁９に代えて電磁弁（図示せず）を設け、さらに、別の膨張弁１０に代えて電磁弁（第１開閉手段：図示せず）を設けてもよい。なお、前記した各電磁弁の各運転モードでの開閉状態は、膨張弁９，１０の開閉状態と同様である。
【００８６】
また、実施形態（図１参照）では、配管ｋｅに逆止弁１５を設ける構成について説明したが、これに限らない。例えば、逆止弁１５に代えて、配管ｋｅに膨張弁（図示せず）を設けてもよい。そして、制御装置１６が、第１の給湯単独運転（図６参照）や第２の給湯単独運転（図８参照）を行う際、前記した膨張弁（図示せず）を閉弁するようにしてもよい。このような構成でも、室外熱交換器４で蒸発したガス冷媒が、四方弁８を介して室内熱交換器６に流れ出ることを抑制できる。
【００８７】
また、実施形態で説明した空調給湯装置Ｗの構成は一例であり、これに限定されるものではない。例えば、電磁弁１３等を適宜に省略してもよい。すなわち、圧縮機１、給湯用熱交換器３、膨張弁１１（第１膨張弁）、及び室外熱交換器４を順次に介して冷媒が循環する流路（図６、図８参照）を含む冷媒回路Ｑを備える空調給湯装置Ｗは、さらに、次の構成を備えている。すなわち、空調給湯装置Ｗは、本体８１と、本体８１の内部に設けられる弁体８２と、を有し、冷媒回路Ｑにおける冷媒の流路を切り替える四方弁８と、四方弁８の低圧側接続口ｈｅと圧縮機１の吸入側とを接続する配管ｋｅ（第１配管）に設けられる逆止弁１５と、を備えている。そして、四方弁８の高圧側接続口ｈｇと圧縮機１の吐出側との間が膨張弁１０（第１開閉手段）によって遮断され、逆止弁１５は、四方弁８から配管ｋｅ（第１配管）を介して圧縮機１の吸入側に向かう冷媒の流れを許容し、逆向きの流れを禁止する。これによって、空調給湯装置Ｗにおける給湯単独運転を適切に行うことができる。
【００８８】
また、実施形態では、少なくとも冷房運転が行われていた後、給湯単独運転を行う場合、制御装置１６が、四方弁８の弁体８２を「第１の位置」（図２Ａ参照）で維持する処理について説明したが、これに限らない。
すなわち、給湯用熱交換器３で湯水を加熱する給湯単独運転を行う場合において、室内熱交換器６の温度が室外熱交換器４の温度よりも低いとき、又は、室内熱交換器６の空調対象空間の温度が外気の温度よりも低いとき、制御装置１６が次の処理を行うようにしてもよい。すなわち、制御装置１６は、四方弁８の弁体８２が「第１の位置」（図２Ａ参照）に存在する状態で、図６に示すように、圧縮機１、給湯用熱交換器３、膨張弁１１（第１膨張弁）、及び室外熱交換器４を順次に介して冷媒を循環させるようにしてもよい。
【００８９】
なお、室外熱交換器４や室内熱交換器６のそれぞれに温度センサ（図示せず）が設置されるとともに、空調対象空間の温度を検出する室内温度センサ（図示せず）や、外気温度を検出する室外温度センサ（図示せず）が設置されているものとする。
前記したように、室内熱交換器６の温度が室外熱交換器４の温度よりも低いとき、制御装置１６が四方弁８の弁体８２を「第１の位置」にすることで、弁体８２の上側（外側）の方が下側（内側）よりも高圧になりやすくなる。したがって、弁体８２と台座８３（図２Ａ参照）との間に隙間が生じにくくなるため、室外熱交換器４から四方弁８を介して室内熱交換器８に冷媒が流れ出ることを抑制できる。
【００９０】
また、室外熱交換器４に複数の室内熱交換器６が並列接続され、給湯用熱交換器３で湯水を加熱する給湯単独運転を行う場合において、制御装置１６が、次の処理を行うようにすることが好ましい。すなわち、複数の室内熱交換器６のうち、その温度が室外熱交換器４の温度よりも低いものが少なくとも一つ存在するとき、又は、複数の室内熱交換器６のそれぞれの空調対象空間のうち、その温度が外気の温度よりも低いものが少なくとも一つ存在するとき、制御装置１６は、四方弁８の弁体８２が「第１の位置」（図２Ａ参照）に存在する状態で、圧縮機１、給湯用熱交換器３、膨張弁１１（第１膨張弁）、及び室外熱交換器４を順次に介して冷媒を循環させる。これによって、弁体８２の上側の方が下側よりも高圧になりやすくなり、弁体８２と台座８３（図２Ａ参照）との間に隙間が生じにくくなる。
【００９１】
また、給湯用熱交換器３で湯水を加熱する給湯単独運転を行う場合において、室内熱交換器６の温度と室外熱交換器４の温度との差が所定範囲内であり、さらに、当該給湯単独運転の開始前に四方弁８の弁体８２が「第１の位置」（図２Ａ参照）に存在するときには（つまり、直前に少なくとも冷房運転が行われていた場合には）、制御装置１６が次の処理を行うことが好ましい。すなわち、制御装置１６は、弁体８２を「第１の位置」に維持し、圧縮機１、給湯用熱交換器３、膨張弁１１（第１膨張弁）、及び室外熱交換器４を順次に介して冷媒を循環させる。これによって、四方弁８の弁体８２を移動させることなく、速やかに給湯単独運転に切り替えることができる。
【００９２】
また、給湯用熱交換器３で湯水を加熱する給湯単独運転を行う場合において、室内熱交換器６の温度が室外熱交換器４の温度よりも高いとき、又は、室内熱交換器６の空調対象空間の温度が外気の温度よりも高いとき、制御装置１６が次の処理を行うことが好ましい。すなわち、制御装置１６は、四方弁８の弁体８２が「第２の位置」（図２Ｂ参照）に存在する状態で、図８に示すように、圧縮機１、給湯用熱交換器３、膨張弁１１（第１膨張弁）、及び室外熱交換器４を順次に介して冷媒を循環させる。
前記したように、室内熱交換器６の温度が室外熱交換器４の温度よりも高いとき、制御装置１６が四方弁８の弁体８２を「第２の位置」にすることで、弁体８２の上側の方が下側よりも高圧になりやすくなる。したがって、弁体８２と台座８３（図２Ｂ参照）との間に隙間が生じにくくなるため、室外熱交換器４から四方弁８を介して室内熱交換器８に冷媒が流れ出ることを抑制できる。
【００９３】
また、室外熱交換器４に複数の室内熱交換器６が並列接続され、給湯用熱交換器３で湯水を加熱する給湯単独運転を行う場合において、制御装置１６が、次の処理を行うようにすることが好ましい。すなわち、複数の室内熱交換器６のそれぞれの温度が全て、室外熱交換器４の温度よりも高いとき、又は、複数の室内熱交換器６のそれぞれの空調対象空間の温度が全て、外気の温度よりも高いとき、制御装置１６は、四方弁８の弁体８２が「第２の位置」（図２Ｂ参照）に存在する状態で、圧縮機１、給湯用熱交換器３、膨張弁１１（第１膨張弁）、及び室外熱交換器４を順次に介して冷媒を循環させる。これによって、弁体８２の上側の方が下側よりも高圧になりやすくなり、弁体８２と台座８３（図２Ｂ参照）との間に隙間が生じにくくなる。
【００９４】
また、給湯用熱交換器３で湯水を加熱する給湯単独運転を行う場合において、室内熱交換器６の温度と室外熱交換器４の温度との差が所定範囲内であり、さらに、当該給湯単独運転の開始前に四方弁８の弁体８２が「第２の位置」（図２Ｂ参照）に存在するときには（つまり、直前に少なくとも暖房運転が行われていた場合には）、制御装置１６が次の処理を行うことが好ましい。すなわち、制御装置１６は、弁体８２を「第２の位置」に維持し、圧縮機１、給湯用熱交換器３、膨張弁１１（第１膨張弁）、及び室外熱交換器４を順次に介して冷媒を循環させる。これによって、四方弁８の弁体８２を移動させることなく、速やかに給湯単独運転に切り替えることができる。
【００９５】
また、給湯単独運転を行う場合、その直前の運転モードに関わらず、四方弁８の弁体８２を「第１の位置」（図２Ａ参照）に配置するようにしてもよい。このような場合において、例えば、空調対象空間の温度よりも外気の温度の方が低くなりやすい冬季には、四方弁８の弁体８２の下側（内側）の圧力が、弁体８２の上側（外側）よりも若干高くなる可能性もある。このような場合、弁体８２と台座８３（図２Ａ参照）との間に隙間が生じ、さらに、室外熱交換器４で蒸発したガス冷媒が、前記した隙間を介して室内熱交換器６に流出する可能性がある。しかしながら、室内熱交換器６が凝縮器として機能することが多い冬季には、室内熱交換器６にガス冷媒が充満している。したがって、四方弁８に生じた隙間を介して、室内熱交換器６にガス冷媒が多少漏れたとしても、冷媒の圧力が均衡状態（均圧状態）に達して冷媒の漏れがすぐに止まるため、特に問題はない。
【００９６】
また、実施形態（図１参照）では、３台の室内ユニットＵｉが設けられるマルチ型の空調給湯装置Ｗについて説明したが、これに限らない。例えば、室内ユニットと室外ユニットとが一台ずつ設けられた空気調和機（図示せず）の他、さまざまな種類の空気調和機にも実施形態を適用できる。
【００９７】
また、実施形態は本発明を分かりやすく説明するために詳細に記載したものであり、必ずしも説明した全ての構成を備えるものに限定されない。また、実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００９８】
１    圧縮機
２    貯湯タンク
３    給湯用熱交換器
４    室外熱交換器
５    室外ファン
６    室内熱交換器
７    室内ファン
８    四方弁
８１  本体
８２  弁体
９    膨張弁
１０  膨張弁（第１開閉手段）
１１  膨張弁（第１膨張弁）
１２  膨張弁（第２膨張弁）
１３  電磁弁（第２開閉手段）
１４  電磁弁（第３開閉手段）
１５  逆止弁
１６  制御装置
ｈｅ  低圧側接続口
ｈｆ  室内側接続口
ｈｇ  高圧側接続口
ｈｉ  室外側接続口
ｋｂ  配管（第３配管）
ｋｄ  配管（第２配管）
ｋｅ  配管（第１配管）
ｋｊ  配管（第４配管）
Ｕｉ  室内ユニット
Ｕｏ  室外ユニット
Ｗ    空調給湯装置
【要約】
給湯運転等を適切に行うことが可能な空調給湯装置を提供する。空調給湯装置（Ｗ）は、圧縮機（１）、給湯用熱交換器（３）、膨張弁（１１）、及び室外熱交換器（４）を順次に介して冷媒が循環する冷媒回路Ｑを備えている。さらに空調給湯装置（Ｗ）は、四方弁（８）の低圧側接続口（ｈｅ）と圧縮機（１）の吸入側とを接続する配管（ｋｅ）に設けられる逆止弁（１５）を備えている。四方弁（８）の高圧側接続口（ｈｇ）と圧縮機（１）の吐出側との間が膨張弁（１０）によって遮断されている。逆止弁（１５）は、四方弁（８）から配管（ｋｅ）を介して圧縮機（１）の吸入側に向かう冷媒の流れを許容し、逆向きの流れを禁止する。【図１】
0006671558.tif 000002
【図２Ａ】
0006671558.tif 000003
【図２Ｂ】
0006671558.tif 000004
【図３】
0006671558.tif 000005
【図４】
0006671558.tif 000006
【図５】
0006671558.tif 000007
【図６】
0006671558.tif 000008
【図７】
0006671558.tif 000009
【図８】
0006671558.tif 000010
【図９】
0006671558.tif 000011